(57)【要約】メンバ対間の電気的な相互結合のためのスタッドバンプ構造体は、バンプ基部およびバンプ脚部を具備している。バンプ基部は、パッドに固定されるか、相互結合されるメンバ対（集積回路チップのような）のいずれか一方にトレースされ、バンプ脚部の端部は、相互結合を完成すべく他方のメンバ（プリント回路基板のような）上の金属パッドに接触すべく配置される。本発明において、バンプ脚部の端部は、水平面に形成するために切り取られる。バンプ脚部は、バンプ基部より柔らかい。また、接触表面上のスタッドバンプの形成方法は、表面上にバンプ基部を形成し、バンプ基部の頂部から円錐時台状体を延出し、水平面の上側表面を有するバンプ脚部を形成し、バンプ基部の頂部から上側表面までの長さを有すべく先端を切り取るものである。一具体例において、少なくともスタッドバンプのバンプ脚部は、ワイヤボンディングツールを用いて形成される。また、電子パッケージの第１メンバおよび第２メンバ間の相互結合の形成方法は、本発明のスタッドバンプをメンバの１つに供給し、結合工程において、対応するバンプとパッドとを取り付ける。バンプの脚部の柔らかさは、パッド表面の様々な平面に対して融通される。【特許請求の範囲】
【請求項１】
相互結合対の第１メンバに固定されるバンプ基部と、
前記相互結合対の第２メンバ上の金属パッドに接触すべく配置された水平面の上側表面を有するバンプ脚部とを具備し、
前記バンプ脚部は、前記バンプ基部より柔らかいことを特徴とするスタッドバンプ構造体。
【請求項２】
前記バンプ基部は、第１物質からなり、前記バンプ脚部は、第２物質からなり、前記第２物質は、前記第１物質より柔らかいことを特徴とする請求項１記載のスタッドバンプ構造体。
【請求項３】
前記第１物質は、ニッケル、銅、ニッケル合金および銅合金からなる集合から選択されることを特徴とする請求項２記載のスタッドバンプ構造体。
【請求項４】
前記第２物質は、はんだ、金、および金合金からなる集合から選択されることを特徴とする請求項２記載のスタッドバンプ構造体。
【請求項５】
前記第２物質は、はんだ、金、および金合金からなる集合から選択されることを特徴とする請求項３記載のスタッドバンプ構造体。
【請求項６】
前記第１物質は、銅からなり、前記第２物質は、金または金合金からなることを特徴とする請求項２記載のスタッドバンプ構造体。
【請求項７】
前記バンプ脚部の少なくとも前記上側表面は、前記バンプ基部より小さい直径を有することを特徴とする請求項２記載のスタッドバンプ構造体。
【請求項８】
前記バンプ脚部の高さは、前記第２メンバ上のすべての前記パッドの非水平性の範囲の最大値より大きいことを特徴とする請求項２記載のスタッドバンプ構造体。
【請求項９】
前記バンプ基部は、脚部の物質と近似する柔らかさの性質を有する物質からなり、前記バンプ脚部の少なくとも上側表面は、前記バンプ基部より小さい直径を有することを特徴とする請求項１記載のスタッドバンプ構造体。
【請求項１０】
前記バンプ基部は、前記バンプ脚部の物質と同じ柔らかさの性質を有する物質からなることを特徴とする請求項９記載のスタッドバンプ構造体。
【請求項１１】
前記バンプ基部は、前記バンプ脚部と同じ物質からなることを特徴とする請求項１記載のスタッドバンプ構造体。
【請求項１２】
前記バンプ基部および前記バンプ脚部の少なくともいずれか一方は、金または金合金からなることを特徴とする請求項１記載のスタッドバンプ構造体。
【請求項１３】
前記バンプ脚部の高さは、前記第２メンバ上のすべての前記パッドの非水平性の範囲の最大値より大きいことを特徴とする請求項９記載のスタッドバンプ構造体。
【請求項１４】
前記バンプ基部は、不動態物質に設けられた開口部に導電面が露出した状態で固定され、前記バンプ基部の直径は、前記不動態物質の前記開口部の直径の０．８５倍より小さいことを特徴とする請求項１記載のスタッドバンプ構造体。
【請求項１５】
接触表面上にバンプ基部を形成する工程と、
前記バンプ基部の頂部から円錐台状体を延出する工程と、
水平面の上側表面を有するバンプ脚部を形成するために、前記円錐台状体の先端を切り取り、前記バンプ基部の頂部から前記頂部表面までの長さを生じさせる工程とを具備することを特徴とする接触表面上のスタッドバンプの形成方法。
【請求項１６】
前記円錐台状体は、少なくともワイヤボンディングツールを用いて形成され、前記円錐台状体は、先端を切り取った後に、前記バンプ脚部の上側表面が所定のワイヤの直径と少なくとも略同一であって、前記バンプ基部の直径より大きくない直径を有するように、設計されることを特徴とする請求項１５記載のスタッドバンプの形成方法。
【請求項１７】
前記円錐台状体は、先端を切り取った後に、前記バンプ脚部の上側表面が所定のワイヤの直径の少なくとも約２倍の直径を有するように設計されることを特徴とする請求項１６記載のスタッドバンプの形成方法。
【請求項１８】
前記先端を切り取る工程は、化学的機械的研磨工程を含むことを特徴とする請求項１５記載のスタッドバンプの形成方法。
【請求項１９】
電子パッケージの第１メンバおよび第２メンバ間の相互結合の形成方法であって、
前記第１メンバ上の所定位置における接触面上に複数のスタッドバンプを供給する工程であって、前記スタッドバンプは、バンプ基部および前記バンプ基部より柔らかいバンプ脚部をそれぞれ具備し、前記バンプ脚部は、水平面の上側表面を具備する工程と、
前記第２メンバの表面上の所定位置に複数の接触パッドを具備する第２メンバを供給する工程であって、前記所定位置のそれぞれは、前記第１メンバと第２メンバとがそれぞれ対応する所定位置になる工程と、
対応する前記バンプおよびパッドが配列するように、前記第１メンバと第２メンバとを押圧する工程と、
それぞれの前記金属パッド上の前記バンプの結合を促す条件下で、前記第１メンバと前記第２メンバとを一体に形成する工程とを具備することを特徴とする相互結合の形成方法。
【請求項２０】
前記第１メンバおよび第２メンバのいずれか一方は、集積回路チップからなることを特徴とする請求項１９記載の相互結合の形成方法。
【請求項２１】
前記第１メンバおよび第２メンバのいずれか一方は、プリント回路基板からなることを特徴とする請求項１９記載の相互結合の形成方法。
【請求項２２】
フリップチップ半導体装置パッケージの作製方法であって、
集積回路チップ上の所定位置における接触面上に複数のスタッドバンプを供給する工程であって、前記スタッドバンプは、バンプ基部および前記バンプ基部より柔らかいバンプ脚部をそれぞれ具備し、前記バンプ脚部は、水平面の上側表面を具備する工程と、
基板表面上の所定位置に複数の接触パッドを具備する基板を供給する工程であって、前記所定位置のそれぞれは、前記集積回路チップと基板とがそれぞれ対応する所定位置になる工程と、
対応する前記バンプおよびパッドが配列するように、前記集積回路チップと基板とを押圧する工程と、
それぞれの前記金属パッド上の前記バンプの結合を促す条件下で、前記集積回路チップと前記基板とを一体に形成する工程とを具備することを特徴とする相互結合の形成方法。
【発明の詳細な説明】
【技術分野】
【０００１】
本発明は、集積回路チップと基板との電気相互結合の形成に関する。特に、フリップチップ半導体装置パッケージの基板に備えられた集積回路チップの相互結合に関する。
【背景技術】
【０００２】
プリント回路基板のような集積回路チップと基板との相互結合は、装置パッケージのアッセンブリの中に形成されるのが一般的である。一般的に用いられる相互結合方法においては、金バンプが基板上の金属接触パッドの配置に対応する配置を有する集積回路チップ上に取り付けられている。パッケージアッセンブリの中にチップおよび基板がバンプと配置されたパッドが対応した状態で押圧され、当該チップおよび基板は、所定条件下（温度、圧力、超音波振動）で金属パッドのバンプ上に互いに結合される。
【０００３】
集積回路チップおよび基板の表面は、一様に平らではない。特に、有機ポリマで形成されたような基板は、平坦でない表面を有し、また特に、より低いコストの工程によって加工された基板はなおさらである。基板表面は、ラップされるか、さもなければ、不規則なままである。したがって、基板上の金属接触パッドの表面は、同一平面上にないかもしれない。この結果、チップおよび基板の表面を押圧するときに、様々な金属パッド表面は、チップの一致する接触表面から異なる距離にある。このような不規則性のために、チップおよび基板が互いに結合されたとき、バンプの中に対応するパッドに対して良好に接触しないものが生じ、パッケージが機能しない結果となる場合がある。
【０００４】
半導体パッケージの小型化については、産業界から継続的な要求がある。パッケージが小型化されればされるほど、相互結合構造も小さくなり、チップと基板との間のクリアランスも狭くなる。チップと基板との間のクリアランスが非常に狭いと、例え、基板表面が比較的わずかな非平面性を生じても、重大な問題となってくるし、結果として、パッケージ構造の相互結合欠陥が見過ごせない割合となる。
【発明の開示】
【発明が解決しようとする課題】
【０００５】
したがって、電子チップパッケージアッセンブリの頑丈な相互結合の構造について、信頼性を向上させる必要がある。
【課題を解決するための手段】
【０００６】
本発明によれば、スタッドバンプ構造体は、バンプ基部とバンプ脚部とを具備する。バンプ基部は、パッドに貼着され、または相互結合されるメンバ対（集積回路チップのような）の１つにトレースされ、バンプ脚部の端部は、相互接続を完成させるべく第２メンバ上の金属パッド（プリント回路基板のような）に接触するために構成される。また、本発明によれば、バンプ脚部の端部は、水平面を形成するために先端が切り捨てられ、バンプ脚部は、バンプ基部より柔らか（compliant；コンプライアント）である。この柔らかさ（コンプライアンス）の差は、バンプ脚部をバンプ基部に比べて小さい直径で形成することによりもたらされるだろう。あるいは、コンプライアンスの差は、バンプ脚部をバンプ基部より柔らかい物質で形成することによりもたらされてもよい。第１および第２メンバは、第２メンバ上の対応する金属パッドに配列された第１メンバ上のスタッドバンプによって押圧される。各メンバは、金属パッド上のスタッドバンプの脚部における結合が支持される状況下で互いの向きに移動する。メンバの表面が一様に平面ではなく、かつ、当該表面が互いの向きに移動し、他方が接触する前に対応するパッドが所定のバンプ脚部に接触するため、これらのバンプ脚部は、表面が互いに近づくように移動して再形成され、ましてや、バンプ脚部は、対応するパッドに接触して、最終的にすべてのバンプ脚部は、対応するパッドに接触され、結合される。スタッドバンプの基部は、バンプ脚部より柔らかくないので、バンプ脚部の再形成の間、実質的に形状を維持する。また、バンプ基部は留めの役割を果たし、第１および第２メンバの互いの移動を防止し、（バンプおよびパッドから離れた）表面間の最小距離を維持することを確保する。スタッドバンプの脚部が再形成工程において短くなる範囲は、水平でない金属パッド表面における実用上の許容範囲に設定される。
【０００７】
本発明に係るスタッドバンプ構造は、特に、第１メンバが集積回路チップで、第２メンバがプリント回路基板のような基板である非常に薄いフリップチップパッケージのための相互結合に便利である。
【０００８】
本発明の特徴的な一般的側面の１つとして、スタッドバンプ構造は、相互結合対（集積回路チップのような）の１つのメンバを貼り付けるバンプ基部と、相互結合対（プリント回路基板のような）の第２のメンバ上に金属パッドを接触させるために配置させた水平面の上側表面を有するバンプ脚部とを具備する。バンプ脚部は、バンプ基部よりも柔らかく（コンプライアントであり）、そのため、上側表面に対してバンプ基部に向けて圧力がかかると、バンプ脚部は、再形成され、より短くなる一方、バンプ基部は、実質的に再形成されずに状態を維持する。
【０００９】
一具体例において、前記バンプ基部は、第１物質で構成され、前記バンプ脚部は、第２物質で構成され、前記第２物質は、前記第１物質より柔らかい（よりコンプライアントな）ものである。第２物質が第１物質より柔らかいために、バンプ脚部の上側表面に対してバンプ基部に向けて圧力がかけられた際、（パッドについたバンプ脚部の結合を促す条件下で）バンプ脚部の再形成が起こり、次第に短くなっていく一方、バンプ基部は、実質的に再形成を起こさずに状態が維持される。一具体例において、前記第１物質は、ニッケル、ニッケル合金、銅または銅合金で構成され、前記第２物質は、はんだ、金または金合金により構成され、パッドについたバンプ脚部の結合を促す条件は、パッドに付いたはんだを溶かすのに十分な温度にすることが含まれるものである。
【００１０】
一具体例において、前記バンプ基部は、前記バンプ脚部の物質と同じまたは同様または異なる柔らかさ（コンプライアンス）を有する物質であることを特徴とし、例えば、バンプ脚部と実質的に同じ物質で構成されてもよい。このような具体例において、少なくともバンプ脚部の上側表面は、バンプ基部より小さい直径を有しており、このため、物質のコンプライアンスに差がなくても、バンプ脚部は、より小さい直径のためにバンプ基部より柔らかくなる。より好ましい物質としては、金や金合金である。
【００１１】
結合工程の間に再形成される際に、前記バンプ脚部が短くなる範囲は、相互結合される与えられたメンバの水平ではない範囲について許容される限度において設定される。従って、第１メンバ上のすべてのバンプにおけるバンプ脚部の上側表面が実質的に水平であるとすると、この短さについての許容範囲（「Ｚレベル調整」として参照される）は、第２メンバ上のそれぞれのパッドについて水平でない範囲の最大値より大きく選択されるべきである。これにより、第１メンバの表面に最も近いパッドに接触するバンプの脚部が短くなることで第１メンバの表面から最も遠いパッドのバンプについて良好な結合を達成することができ、与えられたペアの結合が確保される。言い換えれば、Ｚレベル調整により、パッドまたは第１および第２メンバ間の水平でない最大限の範囲において融通させることができる。
【００１２】
本発明の特徴的な他の一般的側面として、接触表面上のスタッドバンプの形成方法は、表面上のバンプ基部を形成し、バンプ基部の頂部から円錐台状体を延出し、水平面の上側表面を有するバンプ脚部を形成するために前記円錐台状体の先端を切り取って、前記バンプ基部の頂部から上側表面までの長さを有するように形成することによるものである。一具体例において、少なくともスタッドバンプの円錐台状体は、ワイヤボンディングツールを用いて形成され、円錐台状体は、先端が切り取られた後にバンプ脚部の上側表面が少なくとも所定のワイヤの直径と略同一であり、バンプ基部の直径より大きくない直径、より好ましくは、所定のワイヤの直径の約２倍かつバンプ基部の直径より大きくない直径を有するように設計される。水平面の上側表面は、本発明における重要な特徴であり、結合工程にある間、金属パッドの水平上側表面への接触を改良し、より頑丈な相互結合によってより信頼性を高くすることができる。一具体例において、切り取り工程は、化学的機械的研磨を含んでもよい。
【００１３】
結合工程の間、スタッドバンプの基部は、移動してもよいし、所定範囲で広がってもよい。このような再形成は、スタッドバンプの脚部の再形成に関して実効的ではないが、第１メンバ上のスタッドバンプ基部と周囲の動かない物質との接触により、接触地点の圧力や温度変化が生じ、動かない物質の崩壊や、動かない物質の信頼性の劣化が引き起こされる。このような影響を緩和するための一具体例において、スタッドバンプの基部は、第１メンバ上の結合パッドのための動かない物質の開口部の直径の０．８５倍より大きくない直径を有してもよい。
【００１４】
本発明の特徴的な他の一般的側面として、電子パッケージの第１メンバおよび第２メンバ間の相互結合の形成方法は、第１メンバ上の所定位置にある接触面上の複数のスタッドバンプであって、前記スタッドバンプは、バンプ基部および当該バンプ基部よりも柔らかいバンプ脚部をそれぞれ有し、前記バンプ脚部は、水平面の上側表面を有するスタッドバンプを形成し、表面上の所定位置に複数の結合パッドを有する第２メンバであって、前記第１および第２メンバの前記所定位置のそれぞれが対応する第２メンバを形成し、対応するバンプおよびパッドが配列された状態で前記第１および第２メンバを押圧し、そして、金属パッドのそれぞれにバンプの結合を促す状況下で前記第１と第２メンバとを結合してもよい。
【発明を実施するための最良の形態】
【００１５】
ここでは、本発明の実施形態の例を示した図面を参照することによって、本発明をより詳細に説明する。図面は、概略図であり、本発明の特徴、他の特徴との関係および構造を示すものであって、大きさを特定するものではない。特に、所定の厚さ寸法は、例示のために図面において誇張されている。より明確な開示のために、本発明の実施形態を例示する図面において、他の図面に示される要素に対応する要素は、いずれかの図面から容易に特定できるものについては、必ずしも符号を再び付さない。
【００１６】
まず、図１において、集積回路チップ上の接触面に選択された接触表面に固定された従来のスタッドバンプ相互結合構造１０における概略断面図が示される。集積回路チップの一部のみが示されているが、特に、例えばアルミニウムトレースのような導電線である接触面１２、および、導電線の表面１１を露出する開口部１３を有する不動態レイヤ１４が示されている。スタッドバンプ１６は、導電線に電気的な導電接触により形成される。スタッドバンプは、わずかに平板化された球体または満たされた円環面のような、平板化された回転楕円体の形状を有する。これは、バンプを形成する過程の残物であるわずかに残る隆起部１８を有する工業製品であるかもしれない。スタッドバンプは、わずかに隆起した頂部１８の高さ１９および平板化された回転楕円体のバンプ１６自身の高さ１７を含めた導電線表面１１上の全高１５を有する。バンプ１６の高さ１７は、異なるパッケージの構成においては異なり、特に、相互結合されるチップと基板との間のクリアランスがより狭いパッケージについては、より低くなる。ここで、わずかに残った隆起部１８がバンプ上に表されているが、その高さ１９は、典型的にバンプ基部の高さの約１／４以下である。例えば、約２７ミクロンである高さ１７を有する典型的な従来のバンプは、隆起部１８がないか、もし隆起部が存在してもその高さ１９は典型的に約６ミクロン以下となるだろう。
【００１７】
従来例において、スタッドバンプ１６は、ワイヤボンディングツールを用いたワイヤボンディング工程を採用することによって形成される。特に、所定のワイヤ径を有する金または金合金ワイヤボンドを形成するために構成されたワイヤボンディングツールは、粗い円（球）形のワイヤ端を形成するのに用いられる。このワイヤ端は、導電線表面上の球形ワイヤ端の結合を促進する応力および温度の条件下にある導電線の表面に接触され、結果として、球形のワイヤ端がある程度平板化することとなる。その後、ワイヤボンディングツールは、引き離され、ワイヤ部は、残部１８となる球形バンプ１６の近くで切り取られる。
【００１８】
図２は図１の従来のバンプを有する集積回路チップにおいて、対応する平面でない表面上の金属パッドの配置を有する基板との、十分な相互結合を形成することができなかった結果２０を例示する概略断面図である。図２において、集積チップ２２は、例えば２１，２３で示される多数の従来バンプを有しており、集積チップ表面には、図２には示されていないが、接触面に固定されている。基板２４は、例えば２５，２７で示される多数の金属パッドを有し、平面でない表面２６を具備している。基板表面２６は、一般的な成形加工の結果として予想されるように、平坦ではない。したがって、例えば２５，２７で示されるメタルパッドの上側表面２８は同一平面にはない。特に、集積回路チップと基板との表面が押圧されたとき、パッドの中には（例えば、パッド２７）、同一平面にないことにより、他のパッド（例えばパッド２５）よりも当接した集積回路チップ表面により近いものがある。この結果、集積チップ２２および基板２４は、パッケージアッセンブリ工程の相互結合形成段階の間、お互いの方へ移動し、これらのより近いパッド（例えば、２７）がそれぞれのバンプ（例えば２３）に接触して、集積チップ２２および基板２４による互いの向きへのさらなる移動が制限される。そして、より離れたパッド（例えば２５）のそれぞれのバンプ（例えば２１）に対する有効な接触が阻害され、これらの位置における頑丈な相互結合の形成が妨げられる。
【００１９】
水平ではないパッド表面を有する基板上において、より有効な相互結合を形成することは、バンプ基部およびバンプ脚部をそれぞれ有するスタッドバンプを採用する本発明によって達成できる。バンプ基部は、集積回路チップ上の導電パッドまたはトレースに取り付けられ、バンプ脚部は、基板上の導電パッドに接触するように配置され、バンプ脚部は、バンプ基部よりも柔らかい（コンプライアントな）ものである。本発明に係るスタッドバンプの一実施形態は、図３に例として示される。本発明に係るスタッドバンプは、バンプ基部３６およびバンプ脚部３８を有している。バンプ基部３６は、不動態物質１４の開口部１３内に露出した状態で取り付けられた導電線１２上の表面１１に取り付けられる。バンプ脚部３８は、水平面の上側表面３９を有する円錐台状体としてそれぞれ形成される。
【００２０】
本発明に係るスタッドバンプは、従来あるワイヤボンディングツールを用いたワイヤボンディング工程を適用することにより形成される。特に、所定のワイヤ径を有する金または金合金ワイヤボンドを形成するために構成されたワイヤボンディングツールは、粗い円（球）形のワイヤ端を形成するのに用いられる。このワイヤ端は、導電線表面上の球形ワイヤ端の結合を促進する応力および温度の条件下にある導電線の表面に接触され、結果として、球形のワイヤ端がある程度平板化することとなる。この幾分平板化された球形ワイヤ端は、バンプの基部３６の構成要素となる。その後、ワイヤボンディングツールは、例えば米国特許５８７４７８０号の開示を参照することによって、粗い円錐台状体を形成するための所定の割合で引き離される。円錐台状体は、整形され、例えば、化学的機械的研磨によって、水平面の上側表面３９が形成され、粗い円錐台状のバンプ脚部３８が形成される。
【００２１】
本発明に係るスタッドバンプの脚部３８は、バンプ基部３６よりも柔らかい（コンプライアントである）。
【００２２】
コンプライアンスの差は、バンプ脚部およびバンプ基部を形成するための物質の差によって生じてもよい。つまり、バンプ脚部は、相互結合を形成する条件のもと、バンプ基部よりも柔らかい物質で形成されてもよい。バンプ基部は、例えば、ニッケル、銅、ニッケル合金または銅合金で形成可能であり、バンプ脚部は、はんだ、金または金合金で形成可能である。他の物質の組み合わせを用いてもよいが、相互結合を形成する条件のもと、比較的異なるコンプライアンスを有する組み合わせを選択するのが好ましい。ここで、例えば、はんだがバンプ脚部として用いられると、相互結合を形成する条件は、パッド上のはんだを溶かし融合するのに十分ではあるが、バンプ基部の実質的な再形成が生じるほど高くない熱処理を含んでいるだろう。例えば、金がバンプ脚部として用いられた場合、相互結合を形成する条件は、バンプ脚部を圧縮し、短くするのに十分ではあるが、バンプ基部の再形成が大きくならないような応力を加えることを含んでいるだろう。
【００２３】
コンプライアンスの差は、図３の例によって示されるように、バンプ基部およびバンプ脚部の寸法の差によって付加的または二者択一的に生じさせてもよい。特に、例えば、バンプ脚部の表面３９の直径３３は、バンプ基部に接触する部分であるバンプ脚部の最も広い直径はそのままで、バンプ基部の直径３１より小さいことが重要である。バンプ脚部の上側表面３９に押圧された、バンプ脚部の軸方向への圧縮力は、応力の限界まで、バンプ基部を大きく再形成させることなく、バンプ脚部を再形成させ、短くさせる。
【００２４】
バンプ基部は、一般的なチップおよび基板の表面方向に実質的に圧縮可能ではないので、バンプ基部の高さ３２は、チップおよび基板の表面間のクリアランスの事実上の下限として規定される。同様に、バンプ脚部は、一般的なチップおよび基板の表面方向に際限なく圧縮可能という訳ではないが、バンプ脚部の高さ３４は、許容可能であるパッド表面の非平面性の範囲における事実上の上限として規定される。
【００２５】
図４は本発明に係るスタッドバンプを用いた平面でない基板と集積チップとの頑丈な相互結合４０についての効果的な例を概略的に示している。ここで、集積チップ２２は、本発明に係る多数のスタッドバンプを具備しており、それぞれがバンプ基部３６およびバンプ脚部３８を有し、図４には示されていないが、集積チップ表面に接触して固定されている。基板２４は、例えば、２５，２７で示される多数の金属パッドを有する表面２６を具備している。基板表面２６は、基板表面２６は、一般的な成形加工の結果として予想されるように、平坦ではない。したがって、金属パッド−例えば、２５，２７−の上側表面２８は、同一平面上にない。非水平性の上限は、図４の寸法２９として示されている。つまり、最も近いパッド２７のパッド表面２８と最も遠いパッド２５のパッド表面２８との、チップ表面に対する、高さの差となる。図４に示すように、本発明に係るスタッドバンプの脚部３８は、十分な高さ３４を有しており、バンプ基部３６より十分にコンプライアントである。最も遠いパッド２５は、スタッドバンプの脚部に対応する上側表面に頑丈な結合を形成する一方、最も近いパッド２７は、対応するスタッドバンプの脚部が実質的に全て圧縮され、されなる圧縮を効果的に阻止するバンプ基部の上限の高さとなる。
【実施例１】
【００２６】
本実施例において、スタッドバンプの基部および脚部は、金や金合金のような同じ物質で形成される。また、相対寸法は、バンプ脚部がバンプ基部よりコンプライアントになるように選択される。本実施例において、本発明に係る好ましいデザインルールは、以下のようになる（図３および図４も参照）。すなわち、バンプ脚部端３９の直径３３は、ワイヤの直径の約２倍、スタッドバンプの全高３５とバンプ基部の高さ３２との差（ほぼバンプ脚部の高さ）３４は、基板２４上の全てのパッド２５に付いての平面差２９の最大値よりも大きく、バンプ脚部の高さ３４は、バンプ基部の高さの少なくとも約１．５倍であり、典型的にはバンプ基部の高さの約１．５〜３倍の範囲内である。加えて、バンプ基部３６の直径３１は、不動体１４の開口部１３の直径の約０．８５倍より小さい。
【００２７】
ただし、他の具体例も請求の範囲に従って含まれるものである。
【図面の簡単な説明】
【００２８】
【図１】従来のスタッドバンプ相互結合構造を示す断面概略図である。
【図２】図１のスタッドバンプを用いたフリップチップパッケージの断面概略図であり、金型と基板との間の水平方向の振動によって相互結合欠陥を示す図である。
【図３】本発明に係るスタッドバンプ相互結合構造の一実施形態を示す断面概略図である。
【図４】本発明に係るスタッドバンプを採用したフリップチップパッケージの断面概略図である。
【符号の説明】
【００２９】
１１  導電線表面
１２  導電線
１３  開口部
１４  不動態物質
２２  集積チップ
２４  基板
２５，２７  パッド
２６  基板表面
２８  パッド表面
３６  バンプ基部
３８  バンプ脚部
【図１】
2005503660.tif 000002
【図２】
2005503660.tif 000003
【図３】
2005503660.tif 000004
【図４】
2005503660.tif 000005
【国際公開パンフレット】
2005503660.tif 000006
2005503660.tif 000007
2005503660.tif 000008
2005503660.tif 000009
2005503660.tif 000010
2005503660.tif 000011
2005503660.tif 000012
2005503660.tif 000013
2005503660.tif 000014
2005503660.tif 000015
2005503660.tif 000016
2005503660.tif 000017
2005503660.tif 000018
2005503660.tif 000019
2005503660.tif 000020
【国際公開パンフレット（コレクトバージョン）】
2005503660.tif 000021
2005503660.tif 000022
【国際公開パンフレット（コレクトバージョン）】
2005503660.tif 000023
【国際調査報告】
2005503660.tif 000024